(57)【特許請求の範囲】
【請求項１】
横断面が略円形或いは三角形以上の多角形である円柱状或いは多角柱状の焚き火用材料であって、
焚き火用材料の上面から下面に向けて縦方向に所定の切込み深さを持って形成された少なくとも１つの切り込みと、
焚き火用材料の横断面の中心付近に上面から下面に向けて縦方向に所定の深さを有する着火開始用開口と、
前記着火開始用開口より外周側で、焚き火用材料の横断面の中心から径方向に所定距離離れた場所の上面から下面に向けて、或いは焚き火用材料の側面から横断面の中心に向けて、所定深さで設けられ、炎色反応剤を収容する炎色反応剤収容穴と、
前記炎色反応剤収容穴に収容された炎色反応剤と、
前記炎色反応剤が収容された炎色反応剤収容穴の上端側を塞ぐ蓋と、
を含んで構成したことを特徴とする焚き火用材料。
【請求項２】
焚き火用材料の横断面の中心軸の周方向に前記切り込みが複数設けられている場合に、隣接する切り込みの間の実体部分に、前記炎色反応剤収容穴が設けられることを特徴とする請求項１に記載の焚き火用材料。
【請求項３】
前記炎色反応剤収容穴が複数存在する場合に、焚き火用材料の横断面の横断面の中心から当該炎色反応剤収容穴までの距離が異なることを特徴とする請求項１又は２に記載の焚き火用材料。
【請求項４】
焚き火用材料の側面から横断面の中心に向けて延在され、前記着火開始用開口に収容された着火材に点火して着火させるための着火用横開口が設けられることを特徴とする請求項１〜３の何れか一つに記載の焚き火用材料。
【発明の詳細な説明】
【技術分野】
【０００１】
本発明は、例えばキャンプなどにおいて燃焼させて、照明、暖房、加熱調理、観賞などの用に供する焚き火用材料（例えば丸太状の薪など）の改良に関する。
【背景技術】
【０００２】
従来、この種の焚き火用材料としては、例えば、特許文献１などに記載されているような「スウェーデントーチ」や「ウッドキャンドル」或いは「木こりのローソク」などと称される丸太状の木材がある。
このものは、図７（Ａ）に示すように、丸太状の木材の上面から下面に向けて所定深さを有すると共に、横断面の略中心を通って半径方向に延びる何条かの切り込みが入れられている。切り込みは、丸太状の木材が縦方向に沿って割れて分割されてしまわないように、丸太状の木材の下端から所定距離を残すように入れられている。
【０００３】
切り込みは、丸太状の木材の縦方向中心軸廻りに所定角度間隔で何条か形成されているが、これらの切り込みの交差部分は、丸太状の木材の横断面中心部付近であるが、その交差部分の上端から所定深さのところに、着火剤などを設置する。
【０００４】
そして、着火剤に火をつけることで、丸太状の木材自身も燃焼し始め、その後の燃焼は上方及び径方向、更には下方に向かって徐々に進行して、全体が燃え尽きるまでの比較的長い時間、燃焼が継続されることになる。
【先行技術文献】
【特許文献】
【０００５】
【特許文献１】実用新案登録第３２１３９７０号
【発明の概要】
【発明が解決しようとする課題】
【０００６】
ところで、上述したスウェーデントーチなどと称される丸太状の焚き火用材料は、一般的な薪割りされた薪のように、燃焼中に薪を随時（適時）くべることなく、安定して長時間燃焼を継続させることができることから、照明（松明）、暖房、加熱調理、動物除けなどに利用する場合に好適である。
スウェーデントーチが幻想的に燃焼している様子を示したイメージ図を、図７（Ｂ）に示す。
【０００７】
また、昨今では、キャンプなどにおいて、イベントの一つとして、スウェーデントーチの炎を観賞することなども行われている。
【０００８】
この一方、例えば、キャンプファイヤー（比較的大きめのサイズに薪を組んだり積み上げたりして燃焼させるもの）などのイベントにおいては、その演出として、例えば、燃焼中のキャンプファイヤーに炎色反応剤（粒状或いは顆粒状の化学品）を投入して、その炎の色の変化を楽しむといったことも行われている。
【０００９】
このような炎色反応剤は、例えば、小袋状にパッケージ（小分け）されてホームセンターなどの実店舗やネットショップなどで販売されているため、比較的容易に入手可能である。
【００１０】
最近のキャンプブームにあっては、ソロキャンプやファミリーキャンプなどの少人数キャンプなどのプライベート的なキャンプに人気があり、キャンプファイヤーのような比較的規模の大きいイベントを行うことができない。このため、このようなキャンプ中のイベントとして、前述のスウェーデントーチの炎を観賞することなども行われているが、その際中に、炎色反応剤を投入することで炎の色の変化を楽しむこともできる。
【００１１】
しかしながら、スウェーデントーチは丸太状でこれを立設させて使用するものであり、スウェーデントーチの炎の中に炎色反応剤を具合よく投入するには、その径が２０〜４０センチ程度と比較的小径で投入の際の的としては小さいことから、火傷などの危険を伴うおそれがあり、コツや熟練を要するといった実情がある。
【００１２】
また、プライベート的なキャンプの場合、テントや寝具、食材や調理器具などキャンプ場まで運んだり事前に準備するものが多く、スウェーデントーチとは別に炎色反応剤を準備して携帯することが面倒であると共に、炎色反応剤を家に置いてきてしまったり、キャンプ場まで持って来たとしてもどこかに紛失してしまったりして、せっかくのイベントが行えなくなってしまうことが懸念される。
【００１３】
本発明は、かかる実情に鑑みなされたもので、運搬や保管などの取り使いが容易で、コツや熟練などを要することなく炎色反応を楽しむことができ、また炎色反応剤を紛失してイベントが行えなくなるといったことを防止できる焚き火用材料を提供することを目的とする。
【課題を解決するための手段】
【００１４】
このため、本発明に係る焚き火用材料は、
横断面が略円形或いは三角形以上の多角形である円柱状或いは多角柱状の焚き火用材料であって、1
焚き火用材料の上面から下面に向けて縦方向に所定の切込み深さを持って形成された少なくとも１つの切り込みと、
焚き火用材料の横断面の中心付近に上面から下面に向けて縦方向に所定の深さを有する着火開始用開口と、
前記着火開始用開口より外周側で、焚き火用材料の横断面の中心から径方向に所定距離離れた場所に上面から下面に向けて所定深さで設けられた炎色反応剤を収容する炎色反応剤収容穴と、
前記炎色反応剤収容穴に収容された炎色反応剤と、
前記炎色反応剤が収容された炎色反応剤収容穴の上端側を塞ぐ蓋と、
を含んで構成したことを特徴とする。
【００１５】
本発明において、焚き火用材料の横断面の中心軸の周方向に前記切り込みが複数設けられている場合に、隣接する切り込みの間の実体部分であって、当該横断面の中心付近に、前記炎色反応剤収容穴が設けられることを特徴とすることができる。
【００１６】
本発明において、前記炎色反応剤収容穴が複数存在する場合に、横断面の中心からの距離が異なることを特徴とすることができる。
【００１７】
本発明において、焚き火用材料の側面から横断面の中心に向けて延在され、前記着火開始用開口に収容された着火材に点火して着火させるための着火用横開口が設けられることを特徴とする。
【発明の効果】
【００１８】
本発明によれば、運搬や保管などの取り扱いが容易で、コツや熟練などを要することなく炎色反応を楽しむことができ、また炎色反応剤を紛失してイベントが行えなくなるといったことを防止できる焚き火用材料を提供することができる。
【図面の簡単な説明】
【００１９】
【図１】本発明の一実施の形態に係る焚き火用材料（燃焼用木材）の一例の全体構成を示す斜視図（斜め上方から見た図）である。
【図２】同上焚き火用材料の上面を示す図（写真）である。
【図３】同上焚き火用材料の正面を示す図（写真）である。
【図４】同上焚き火用材料の下面を示す図（写真）である。
【図５】図２のＡ−Ａ断面図である。
【図６】同上焚き火用材料の着火後の燃焼の様子を示す図（写真）である。
【図７】（Ａ）は従来のスウェーデントーチの一構成例を示す斜視図であり、（Ｂ）はスウェーデントーチの燃焼の様子を示したイメージ図（オリジナルイラスト）である。
【発明を実施するための形態】
【００２０】
以下、本発明に係る一実施の形態を、添付の図面を参照しつつ説明する。なお、以下で説明する実施の形態により、本発明が限定されるものではない。
【００２１】
本実施の形態に係る燃焼用木材１は、図１〜図４に示すように、上面２と下面（底面）６を有するように木から切り出した丸太状（略円柱状）の外観を有している。そのサイズは、横断面形状である略円形の直径が約２００ｍｍ程度で、高さ（或いは長さ）が約４００ｍｍ程度のものが一例として考えられる。但し、数十ｍｍ程度の幅はあるため、直径は１００〜３００ｍｍ程度の範囲、高さ（長さ）は２００〜５００ｍｍ程度の範囲のものも想定される。
なお、燃焼用木材１は、本発明に係る焚き火用材料の一例に相当する。
【００２２】
そして、この燃焼用木材（焚き火用材料）１には、その長手方向中心軸Ｘ廻りの所定角度位置（図１、図２では略４５°毎）に切り込み（スリット、切れ込み）Ｓ１〜Ｓ８が設けられている。
切り込みＳ１〜Ｓ８は、燃焼部への空気の取り込み通路などとして機能するもので、例えばチェーンソー、丸刃のこぎりなどを上面２から長手方向に沿って移動させて木材を削ることによって形成することができる。従って、各切り込みＳ１〜Ｓ８は、それぞれが長手方向中心軸Ｘ廻りに（放射状に）略矩形状の凹部となっている。なお、切り込みの数は、燃焼部への空気の取り込み具合に影響するため、希望する燃焼のさせ方などに応じて変更可能であり、例えば周方向に少なくとも一つ以上設けることができると共に、複数周方向に設ける場合は必ずしも等間隔に設けなくても良いものである。
【００２３】
切り込みＳ１、Ｓ５、Ｓ３、Ｓ７の深さは、例えば、上面２から１００〜１８０ｍｍ程度とすることができる（図１，図３では１２０ｍｍ程度）。なお、Ｓ１とＳ５はチェーンソー等により同時に形成可能であり、Ｓ３とＳ６も同様である。
また、切り込みＳ２、Ｓ６、Ｓ４、Ｓ８の深さは、例えば、上面２から２００〜３５０ｍｍ程度とすることができる（図１，図３では３００ｍｍ程度）。なお、Ｓ２とＳ６はチェーンソー等により同時に形成可能であり、Ｓ４とＳ８も同様である。
但し、切り込みの深さは、燃焼部への空気の取り込み具合に影響するため、希望する燃焼のさせ方などに応じて調整可能であると共に、切り込みＳ１〜Ｓ８をすべて同じ深さとしたり、すべて異ならせることなども可能である。
【００２４】
切り込みＳ１（Ｓ２〜Ｓ８も同様）の幅（厚み）Ｙ（図１、図３参照）は、約５〜３０ｍｍ程度、或いは約１０〜２０ｍｍ程度とすることができる。また、切り込みの幅Ｙは、チェーンソーや丸刃のこぎりの歯の厚みに略相当するため、使用するチェーンソーや丸刃のこぎりの歯の厚みに応じて適宜変更可能である。また、切り込みの幅Ｙは、燃焼部への空気の取り込み具合に影響するため、希望する燃焼のさせ方などに応じて調整可能であると共に、切り込みＳ１〜Ｓ８をすべて同じ厚みとしたり、すべて異ならせることなども可能である。
【００２５】
また、図４に示すように、燃焼用木材１の燃焼部分に空気を供給するための空気穴５Ａ、及び燃焼用木材１の下方部分の燃え残りを抑制するための空気穴５Ｂが、燃焼用木材１の下面（底面）６側に設けられている。本発明に係る空気用開口として機能する空気穴５Ａ，５Ｂは、直径約１５ｍｍ程度の穴で、空気穴５Ａは長手方向中心軸Ｘと同軸的に設けられていると共に、空気穴５Ｂは長手方向中心軸Ｘの周囲に同心的に複数設けられている。
【００２６】
図４では、空気穴５Ｂは、その中心が長手方向中心軸Ｘから約１４０〜１６０ｍｍ程度の距離のところの長手方向中心軸Ｘを中心とする同心円上に設けられていると共に、長手方向中心軸Ｘ廻りに約９０°毎に設けられている。
【００２７】
また、空気穴５Ａの燃焼用木材１の下面６からの深さは、ここでは約２８０ｍｍ程度、すなわち、後述する着火開始穴３の下端と連通することができる深さとする。但し、空気穴５Ａの燃焼用木材１の下面６からの深さは、２００ｍｍ程度などとすることも可能である。空気穴５Ｂの燃焼用木材１の下面（底面）６からの深さは、約１００ｍｍ程度とすることができる。空気穴５Ａ，５Ｂは、例えば、下面（底面）６から長手方向中心軸Ｘと略平行な方向に沿ってドリルなどによって切削（穿孔）することで設けることができる。
ここでは、空気穴５Ａは着火開始穴３と貫通させる構成とすることができると共に、空気穴５Ａは、切り込みＳ２とＳ６、Ｓ４とＳ８の底部に貫通させる構成とすることができる。
但し、空気穴５Ｂの数や配置やサイズは、特に限定されるものではなく、燃焼具合に応じて適宜に変更可能である。
また、空気穴５Ａ、５Ｂに替えて、或いは空気穴５Ａ、５Ｂと共に、図７に示したように、切り込みＳ１〜Ｓ８とは中心軸Ｘ廻りの角度位置が異なる位置に、下面６から上面２方向へ延びる切り込みを設ける構成とすることも可能である。
【００２８】
また、本実施の形態に係る燃焼用木材１には、図１、図２、図５に示すように、長手方向中心軸Ｘを中心軸とする着火開始穴３が設けられている。この着火開始穴３は、本発明に係る着火開始用開口の一例であり、直径約２０〜５０ｍｍ程度とすることができ（ここでは例えば直径約３０ｍｍ程度）、上面２からの深さ１２０ｍｍ程度とすることができる。着火開始穴３は、例えば、上面２から長手方向中心軸Ｘ上に沿ってドリルなどによって切削（穿孔）することで設けることができる。
但し、着火開始穴３が設けられる部位は、切り込みＳ１〜Ｓ８が交差する部分であるため、当該交差する部分が着火開始用開口として機能するように開口されている場合には、ドリルなどによって切削（穿孔）することは省略できる場合もある。
【００２９】
この着火開始穴３に、図５に示すように、着火剤（例えば、サイズ２０（縦）×３０（横）×４０（厚さ）ｍｍ程度の固形着火剤など）を、上面２から１２０ｍｍの所（底部に到達する）まで挿入して（落とし込んで）セットする。従って、この着火開始穴３は着火材設置穴とすることもできる。すなわち、本実施の形態においては、着火開始穴３と空気穴５Ａとの接続部には段差があり、この段差部分に着火剤を保持（セット）することができるように構成されている。
着火剤は、市販されている入手容易なＢＢＱ用などの固形着火剤（固形燃料）などとすることができる。例えば、サイコロ状、円柱状などの各種のタイプがあるので、それらを所定深さ入りまで挿入できその位置で保持できるものであれば、着火開始穴３の形状や径の大きさは特に限定されるものではない。また、本実施の形態に係る着火剤は、固形に限定されるものではなく、ある程度外形が変形するものであっても、着火開始穴３の所定深さまで挿入できその位置である程度保持できるものであれば、ある程度変形可能なものであっても採用することはできる。
【００３０】
また、本実施の形態に係る燃焼用木材１には、着火剤開始穴３の所定深さにセットした着火剤に着火手段により着火するための着火用横穴４が設けられている。本発明に係る着火用横開口に相当する着火用横穴４は、直径が約１０ｍｍ〜２０ｍｍ程度で、燃焼用木材１の側面の上面２から約１５０ｍｍ程度の位置に長手方向中心軸Ｘと交差する方向（例えば直交する方向）に沿って、例えば切り込みＳ１の下方で切り込みＳ１と略平行に開口されて、前記空気穴５Ａを介して、着火開始穴３にセットされた着火剤まで連通されている。
【００３１】
従って、この着火用横穴４に、細長いノズルの付いた着火ライター或いはガスバーナーなどの着火手段を挿入し、前述の着火剤に着火することが可能となっており、燃焼用木材１の燃焼を開始させることができるようになっている。
但し、着火剤（着火材）の側方から着火する構成とすることも可能であるため、着火用横穴４は、着火開始穴３にセットされた着火剤（着火材）に側方から着火手段を到達させて着火することが可能であれば、その開口位置は特に限定されるものではない。
また、上面２の中心部の空隙（図２、図３の着火開始穴３や周辺の切り込みＳ１〜Ｓ８等参照）より、着火ライターのノズル或いはガスバーナーなどの着火手段を挿入し、着火剤の上部に直接点火して着火させることも可能であるため、着火用横穴４は省略することもできる。
【００３２】
具体的には、使用者が、着火用横穴４より着火ライターのノズルを挿し込み、着火剤の下部に直接点火して着火させると、一分程度で安定した炎が、上面２の中心部（着火開始穴３や切り込みＳ１〜Ｓ８の交差部付近）から現れる。
着火剤が燃焼すると、炎は燃焼用木材１の中心側から外周側及び上面２側へ燃え広がり、遅れて下面の方向へ燃え進み、約１時間半前後燃え続けた後、燃焼が終了するようになっている。
【００３３】
但し、本実施の形態に係る着火剤は、小枝、綿、紙などの着火材に変更可能である。更に、着火剤や着火材なしで、直接バーナーなどにより着火開始穴３の周辺を燃焼させて着火させることなども可能である。
【００３４】
ここで、本実施の形態では、燃焼中の燃焼用木材１の炎に炎色反応剤を作用させて、その炎の色の変化を楽しむことができるように構成されている。
【００３５】
炎色反応剤は、炎に緑や深紅や青や黄などの色をつけるもので、アルコールランプ用のアルコール、ステアリン酸、発色剤などを混合した薬品などを利用することができる。
発色剤は、発色させたい色によって、例えば、次の薬品の中などから選択することができる。例えば、緑色は「ほう酸」、黄色は「せっけんを細かく削ったもの」や「ナトリウム」、深紅は「塩化リチウム」、赤色は「塩化ストロンチウム」、橙色は「無水塩化カルシウム」、青色は「塩化カルシウム」、紫色は「ヨウ化カリウム」などが知られている。なお、市販されている炎色反応剤には、炭酸カルシウム、マグネシウム、銅粉、シリカ（二酸化ケイ素）などが含まれる場合もある。
【００３６】
なお、例えば、アルコールにステアリン酸を混ぜた後、湯煎などにより温めながら上記発色剤を入れて完全に溶かしたら、冷却して固めて固形物とする。その後、細かく砕いて粒状或いは顆粒状の炎色反応剤などとすることができる。
このような粒状或いは顆粒状の炎色反応剤を発色ごとに作成し、これらを適宜に混合しておくことで、様々な色に変化する炎を観賞することができる。
【００３７】
上記のように炎色反応剤は自分で作成することもできるが、比較的安価で安定した品質のものが実店舗やネット販売などで市販されているので、それらを利用することができる。
例えば、商品名「ＭＡＧＩＣＡＬ  ＦＬＡＭＥＳ」、「レインボーファイヤー」、「アートファイヤー」、「ＳＮＳファイアー」、「ミスティカルファイヤー」、「炎神」など種々のものがあるが、いずれも粒状或いは顆粒状で、保管や運搬などに適した安全な薬品の一種であり、取り扱いに関して特別な規制などはなく、取り扱いは容易である。但し、発色状態時の調理は、避けたほうが良い。
【００３８】
ところで、既述したように、燃焼中のスウェーデントーチ（燃焼用木材１）の炎の中に、炎色反応剤を投入することで炎の色の変化を楽しむことができるが、炎の中に炎色反応剤を具合よく投入するには、火傷などの危険を伴うため、コツや熟練を要する。
例えば、上面２の中心部の空隙（図２、図３の着火開始穴３や周辺の切り込みＳ１〜Ｓ８等参照）より炎色反応剤を投入した場合などは、炎色反応剤が空隙の下方にまで落ちてしまうことが多く、このような場合には発色が燃焼用木材１の中心部下方内で発生し、上面２から出てくる炎に発色が現れ難くなってしまい、見栄えの良い観賞に貢献できなくなるおそれが高い。
【００３９】
また、ソロキャンプやファミリーキャンプなどのプライベート的なキャンプの場合、燃焼用木材１とは別に炎色反応剤を準備して携帯することが面倒であると共に、炎色反応剤を紛失してしまって、せっかくの炎の色の変化を楽しむイベントが行えなくなってしまうことなども懸念される。
【００４０】
このため、ここでは、炎色反応剤を燃焼用木材１に予め設置する構成とした。
具体的には、例えば、図１、図２、図５に示すように、直径約２０ｍｍ程度の炎色反応剤収容穴Ｆ１〜Ｆ８が、その中心が長手方向中心軸Ｘを中心とする同心円上に配置されるように設けられている。
そして、本実施の形態では、炎色反応剤収容穴Ｆ１〜Ｆ８の中に、粒状或いは顆粒状の炎色反応剤を流し込んで、予め充填する（収容させる）。
【００４１】
図１、図２では、炎色反応剤収容穴Ｆ１〜Ｆ８は、長手方向中心軸Ｘ廻り約４５°毎であって、切り込みＳ１〜Ｓ８の間の燃焼用木材１が存在する部分（燃焼用木材１の実体部分）に設けられている。
【００４２】
炎色反応剤収容穴Ｆ１〜Ｆ８の中心は、長手方向中心軸Ｘから約３０〜６０ｍｍ程度の距離に同心的に設けられている。なお、図２、図５の例では、炎色反応剤収容穴Ｆ１、Ｆ３、Ｆ５、Ｆ７の中心が長手方向中心軸Ｘから約５０ｍｍ程度の距離とされ、炎色反応剤収容穴Ｆ２、Ｆ４、Ｆ６、Ｆ８の中心が長手方向中心軸Ｘから約３０ｍｍ程度の距離とされている。
炎色反応剤収容穴Ｆ１〜Ｆ８の深さは、例えば約５０〜８０ｍｍ程度とすることができ、ここでは、上面２からの深さ８０ｍｍ程度としている。炎色反応剤収容穴Ｆ１〜Ｆ８は、例えば、上面２から長手方向中心軸Ｘと略平行な方向に沿ってドリルなどによって切削（穿孔）することで設けることができる。
但し、炎色反応剤収容穴Ｆ１〜Ｆ８の下端側が、長手方向中心軸Ｘに向かうようにやや斜めに切削（穿孔）するような構成として、炎色反応剤の炎への供給状態を調整することも可能である。
また、例えば、燃焼用木材１の側面（外周面）の上端（上面２）から約５０〜１５０ｍｍの位置から、長手方向中心軸Ｘに向けて斜めに直径２０ｍｍ程度、側面からの深さ約５０ｍｍの穴を１以上開口させて、これを炎色反応剤収容穴とすることもできる。
【００４３】
また、炎色反応剤収容穴Ｆ１〜Ｆ８に充填（収容）した炎色反応剤が、燃焼用木材１を横にして置いたり運搬したときなどに、外部へ排出されてしまわないように、メクラ蓋７が炎色反応剤収容穴Ｆ１〜Ｆ８の上部に嵌挿されている。メクラ蓋７は、燃焼用木材１と共に燃焼可能な材料とすることが好ましく、木材などから切り出して作成することができるが、例えば、市販の目隠し用の木製ダボなどを利用することも可能である。
なお、図１、図２では、撮影用に炎色反応剤収容穴Ｆ１とＦ５にだけメクラ蓋７が嵌挿され（打ち込まれ）、残りの炎色反応剤収容穴には未嵌挿であるが、実際には炎色反応剤収容穴Ｆ１〜Ｆ８のすべてにメクラ蓋７を嵌挿する（取り付ける）ことができる。
本実施の形態に係るメクラ蓋７が、本発明に係る蓋（或いは栓）の一例に相当する。
【００４４】
ところで、本実施の形態に係る燃焼用木材１は、本発明に係る焚き火用材料の一例であり、山林等から伐採した木材から切り出した丸太状の木材などを乾燥させたものなどを利用することができるが、これに限らず、植物由来の燃焼可能な材料を主成分とするものであれば利用可能である。
例えば、所謂「オガライト」や「木質ブリケット」などを利用することができると共に、これに限らず、「針葉樹及び広葉樹の製材時に出るおがくずや、使い道のない或いは商品にならない木材、建築廃材、半端な木材、更には籾殻、葉や根などを細かく粉砕したものを固めたもの」など、植物由来の材料を利用することができる。
具体的には、例えば、オガライトや木質ブリケットは、おがくずや木屑等を主成分とし、直径は１００〜２００ｍｍ程度の範囲、高さ（長さ）を２００〜４００ｍｍ程度の範囲の円柱形に圧縮成型して外面を加熱することにより固めたもので、本発明に係る燃焼用木材１の素材として利用することができるが、おがくずに含まれるリグニンが粘結剤の役割をするため、添加物は使われないのでキャンプ等での使用において安全であるという利点がある。
なお、オガライト、木質ブリケット等の植物由来の燃焼可能な材料は、本発明に係る焚き火用材料の他の一例に相当する。
【００４５】
以上のような炎色反応剤収容穴Ｆ１〜Ｆ８に炎色反応剤を充填（収容）した燃焼用木材１は、例えば、以下のようにして、キャンプの際などにおいて、炎の色の変化を楽しむなどの観賞の用などに供することができる。
（１）まず、利用者は、最初のステップでは、入手容易な着火剤（固形燃料）を、着火剤設置穴３の上面２から１２０ｍｍの所まで挿入して（落とし込んで）セットする（図５参照）。
（２）続くステップでは、利用者は、着火用横穴４より着火ライターのノズルを挿し込み、着火剤の下部に直接点火して着火させる（図５参照）。或いは、上面２の中心部の空隙（図２、図３の着火開始穴３や周辺の切り込みＳ１〜Ｓ８等参照）より、ガスバーナーなどの着火手段を挿入し、着火剤の上部に直接点火して着火させることもできる。
（３）着火後一分位で安定した炎が、上面２の中心部（着火剤設置穴３や切り込みＳ１〜Ｓ２の交差部付近）から出現してくる。
（４）着火剤付近から開始された燃焼は、中心部から燃焼用木材１の外周側へ向けて及び上面２側へ向けて燃え広がり、遅れて燃焼用木材１の下面（底面）６側に対しても燃え進みます。
上記（３）、（４）の状態を撮影した写真を、図６に示す。
（５）更に燃焼が進み、炎色反応剤収容穴Ｆ１〜Ｆ８に到達すると、内部の炎色反応剤が燃焼に作用するようになり、炎の色が変化して、その変化を観者は楽しむことができるようになる。なお、炎色反応剤収容穴の位置を中心部から３０ｍｍ、５０ｍｍなどと異ならせることで、各炎色反応剤収容穴から供給される炎色反応剤を同時期に一度に燃焼に供給させるのではなく、時間差で中心部から外側に３０ｍｍ程度離れたところの炎色反応剤収容穴Ｆ１、Ｆ３、Ｆ５、Ｆ７から先に炎色反応剤が供給され、遅れて中心部から外側に５０ｍｍ程度離れたところの炎色反応剤収容穴Ｆ２、Ｆ４、Ｆ６、Ｆ８から炎色反応剤が供給されて順に少しずつ燃焼するため、例えば、青・緑・紫・黄・オレンジ・白色などの炎の色の変化（炎色反応）を４０分程度の間、連続して観賞することができる。
なお、炎色反応剤収容穴を燃焼用木材１の側面から長手方向中心軸Ｘへ向けてその先端（下端）が下方を向くように斜めに設ける場合には、炎色反応剤収容穴の先端（下端）と、長手方向中心軸Ｘと、の距離を異ならせることで、上記と同様に時間差を持って炎色反応剤を供給することができ、比較的長い間、炎色反応）を連続して観賞することができる。
（６）炎の色の変化を楽しんだ後も、燃焼用木材１は数時間の間、燃え続けるため、調理、暖房、照明（光源）、炎の観賞などに利用することができる。
なお、調理（発色時は除く）の際には、例えば、燃焼用木材１の上面２の上で食材を焼くなどの調理を行うことができると共に、フライパンや鍋などの調理具を置くことで加熱調理が可能である。
【００４６】
以上のように、本実施の形態に係る燃焼用木材１によれば、炎色反応剤収容穴を設け、その中に炎色反応剤を予め収容（充填）しメクラ蓋にて炎色反応剤収容穴を塞ぐようにしたので、収容（充填）した炎色反応剤が運搬時などにおいて外部へ排出等されることがなく取扱いが容易であると共に、着火後は自動的に炎色反応が開始されるためコツや熟練などを要することなく炎色反応を楽しむことができ、また炎色反応剤を紛失してイベントが行えなくなるといったおそれを防止することができるため、キャンプなどにおいて燃焼用木材１の炎の炎色反応を信頼性高く、簡単かつ安全に楽しむことができる。
【００４７】
すなわち、本実施の形態によれば、運搬や保管などの取り扱いが容易で、コツや熟練などを要することなく炎色反応を楽しむことができ、また炎色反応剤を紛失してイベントが行えなくなるといったことを防止できる焚き火用材料を提供することができる。
【００４８】
なお、本実施の形態に係る燃焼用木材１は、丸太状（円柱状）に限定されるものではなく、三角柱、四角柱などの多角柱、その他の形状とすることも可能である。
【００４９】
なお、本実施の形態では、空気穴５Ａ、５Ｂを設けた場合を例示したが、これらを省略したり、切り込み（スリット）とすることなども可能である。
【００５０】
また、着火用横穴４については、より着火し易いようにするためのもであり、切り込みの隙間から着火ライターのノズルを挿入して着火できる場合などにおいては、省略することも可能である。
【００５１】
また、本実施の形態に係る着火開始穴３、着火用横穴４、空気穴５Ａ、５Ｂなどは、横断面形状は円形に限定されるものではなく、開口であれば採用可能である。
【００５２】
なお、本発明に係る焚き火用材料においては、予め着火剤（例えば固形着火剤）を着火開始用開口内に保持した状態で販売することなども可能である。この場合の保持は着火開始用開口の内径と着火剤の外径の嵌め合いにより行わせたり、或いは、くさびや接着剤を利用して保持させることができる。
【００５３】
本発明は、上述した発明の実施の形態に限定されるものではなく、本発明の要旨を逸脱しない範囲内において、種々変更を加え得ることは可能である。
【符号の説明】
【００５４】
１    燃焼用木材（本発明に係る焚き火用材料の一例に相当）
２    上面
３    着火開始穴（本発明に係る着火開始用開口の一例に相当する）
４    着火用横穴（本発明に係る着火用横開口の一例に相当する）
５Ａ，５Ｂ    空気穴（本発明に係る空気用開口の一例に相当する）
６    下面（底面）
７    メクラ蓋（本発明に係る蓋の一例に相当）
Ｆ１〜Ｆ８    炎色反応剤収容穴  
【要約】
【課題】  運搬や保管などの取り使いが容易で、コツや熟練などを要することなく炎色反応を楽しむことができる焚き火用材料を提供する。
【解決手段】  本発明に係る焚き火用材料（燃焼用木材１）は、焚き火用材料の上面から下面に向けて縦方向に所定の切込み深さを持って形成された少なくとも１つの切り込み（Ｓ１〜Ｓ８）と、焚き火用材料の横断面の中心付近に上面から下面に向けて縦方向に所定の深さを有する着火開始用開口（着火開始穴３）と、前記着火開始用開口より外周側で、焚き火用材料の横断面の中心から径方向に所定距離離れた場所に上面から下面に向けて所定深さで設けられた炎色反応剤を収容する炎色反応剤収容穴Ｆ１〜Ｆ８と、前記炎色反応剤収容穴に収容された炎色反応剤と、前記炎色反応剤収容穴の上端側を塞ぐ蓋７と、を含んで構成したことを特徴とする。
【選択図】図１【図１】
0006971429.tif 000002
【図２】
0006971429.tif 000003
【図３】
0006971429.tif 000004
【図４】
0006971429.tif 000005
【図５】
0006971429.tif 000006
【図６】
0006971429.tif 000007
【図７】
0006971429.tif 000008